(57)【要約】【課題】入賞口開閉装置の小型化により、遊技盤上における他部材の配置等に影響を与え難くして、遊技盤に係る設計の自由度の向上を図り、さらに、入賞口開閉装置の機能を向上させることにより、所定の流路を流下する遊技球を確実に入賞させて、遊技の効率化及び円滑化を図る。【解決手段】  入賞口開閉装置１６０は、入賞口１６２から流入する遊技球を受入れ可能な入賞球受入部１６５と、入賞球受入部１６５内に設けられ、入賞球受入部１６５内に受入れられた遊技球を排出するとともに入賞として検知させるための排出口１６６と、入賞球受入部１６５の入賞口１６２を閉鎖する閉鎖位置、及び入賞口１６２を開放する開放位置に変位可能であって、閉鎖位置のとき、遊技球を流路Ｌに沿って通過可能とする通路面１６７ａと、開放位置のとき、流路Ｌを遮断するとともに遊技球を入賞口１６２へ誘導する遮断誘導面１６７ｂとを有する蓋体１６７とを設ける。【選択図】  図６
2014198162.tif 000002
【特許請求の範囲】
【請求項１】
遊技球が流下可能な遊技領域を有する遊技盤に設けられ、遊技球の流入を検知することに基づいて入賞とし得る入賞口を有し、当該入賞口に遊技球が流入可能な状態と流入不可能な状態とに変化させることができる入賞口開閉装置を備える遊技機であって、
前記入賞口開閉装置は、遊技球が流入可能な前記入賞口から流入する遊技球を受入れ可能な入賞球受入部と、
当該入賞球受入部内に設けられ、前記入賞球受入部内に受入れられた遊技球を排出するとともに入賞として検知させるための排出口と、
前記入賞球受入部の前記入賞口を閉鎖する閉鎖位置、及び前記入賞口を開放する開放位置に変位可能な蓋体とを設け、
前記蓋体は、前記閉鎖位置のとき、遊技球が所定の遊技球の流路に沿って転動するように通過可能とする通路面と、前記開放位置のとき、前記流路を遮断するとともに当該遮断により前記流路の流下を制限された遊技球を前記入賞口へ誘導する遮断誘導面とを有することを特徴とする遊技機。
【請求項２】
前記入賞球受入部は前記遊技盤の前面から突出し、その上部に前記入賞口を設け、
前記蓋体は、単体で構成されるとともに前記入賞口を単体で遊技球が流入不可能な閉鎖状態にし得る形状であって、前記盤面に直交する回転軸により、前記蓋体の前記通路面が前記流路に沿って傾斜するとともに、前記入賞口を閉鎖する前記閉鎖位置と、前記遮断誘導面が前記流路を通過する遊技球の流下方向に対向するように前記流路に略直交しつつ前記蓋体の閉方向を向いて傾斜するとともに、前記入賞口を開放する前記開放位置とに、前記盤面に沿って回動可能に支持されることを特徴とする請求項１記載の遊技機。
【請求項３】
前記開放位置における前記蓋体の前記遮断誘導面を先端部に向かうに従って漸次下方を向くように形成することを特徴とする請求項２記載の遊技機。
【請求項４】
前記入賞口の大きさを、遊技球の経寸法の２個分より小寸とすることを特徴とする請求項１〜３のいずれかに記載の遊技機。
【発明の詳細な説明】
【技術分野】
【０００１】
本発明は、遊技盤に入賞口開閉装置を備える遊技機に関する。
【背景技術】
【０００２】
従来、遊技球が流下可能な遊技領域を有する遊技盤において、所定の通過口の遊技球の通過を契機に抽選が実行され、当該抽選に当選すると、入賞口を閉鎖状態から開放状態へ変化させることができる入賞口開閉装置が設けられる遊技機が知られている。
また、例えば、大当りに係る当否抽選の結果、特図表示装置において所定の特別図柄が当りとして表示されて、役物連続作動装置が作動する大当り遊技後に、入賞口の開放に係る抽選の当選確率が向上することによって、入賞口開閉装置が入賞口を開放状態とする回数が増加し、遊技球の入賞口への入賞が容易となって、遊技球を減らさずに、連続的に抽選を行うことができる所謂確変遊技状態へ移行制御される遊技機も知られている。
このような遊技機の入賞口開閉装置は、入賞口への遊技球の流入を制御するため、例えば、左右に回動可能に支持される左右一対の羽部材を有する所謂電動チューリップであって、羽根材の左右の回動によって入賞口への遊技球の流入を可能にしたり不可能にしたりする（特許文献１）。
【先行技術文献】
【特許文献】
【０００３】
【特許文献１】特開２０１１−２１７８５２号公報
【発明の概要】
【発明が解決しようとする課題】
【０００４】
この電動チューリップ型の入賞口開閉装置は、入賞口を閉鎖するために所定の大きさの左右一対の羽部材と、当該羽部材を遊技球が流入可能な開放位置及び遊技球が流入不可能な閉鎖位置に回動可能とするための所定の回動領域が必要であって、羽部材等を正常に作動させるためには、この点及び他部材の配置関係を考慮して、入賞口及び入賞口開閉装置を配置等する必要があった。
即ち、遊技領域を出来る限り広く使用したい場合や、遊技領域に役物等を多く配置したい場合、入賞口及び入賞口開閉装置により制約を受けることがあった。
さらに、このタイプの入賞口開閉装置は、開放時の羽部材が上方から流下する遊技球を拾いきれず、取りこぼしが発生する場合があり遊技が非効率的であった。
【０００５】
本発明は上記課題を鑑み、入賞口開閉装置の小型化により、遊技盤上における他部材の配置等に影響を与え難くして、遊技盤に係る設計の自由度の向上を図り、さらに、入賞口開閉装置の機能を向上させることにより、所定の流路を流下する遊技球を確実に入賞させて、遊技の効率化及び円滑化を図ることを目的とする。
【課題を解決するための手段】
【０００６】
（１）遊技球が流下可能な遊技領域を有する遊技盤に設けられ、遊技球の流入を検知することに基づいて入賞とし得る入賞口を有し、当該入賞口に遊技球が流入可能な状態と流入不可能な状態とに変化させることができる入賞口開閉装置を備える遊技機であって、前記入賞口開閉装置は、遊技球が流入可能な前記入賞口から流入する遊技球を受入れ可能な入賞球受入部と、当該入賞球受入部内に設けられ、前記入賞球受入部内に受入れられた遊技球を排出するとともに入賞として検知させるための排出口と、前記入賞球受入部の前記入賞口を閉鎖する閉鎖位置、及び前記入賞口を開放する開放位置に変位可能な蓋体とを設け、前記蓋体は、前記閉鎖位置のとき、遊技球が所定の遊技球の流路に沿って転動するように通過可能とする通路面と、前記開放位置のとき、前記流路を遮断するとともに当該遮断により前記流路の流下を制限された遊技球を前記入賞口へ誘導する遮断誘導面とを有する。
【０００７】
上述の構成によれば、入賞口開閉装置における蓋体に、蓋体が閉鎖位置のとき、遊技球が通過可能な通路面と、同じく開放位置のとき、流路を遮断するとともに遊技球を入賞口へ誘導する遮断誘導面とを設けることにより、入賞口開閉装置は、単に、入賞口を開閉して、遊技球の流入の可否を制御するだけでなく、遊技球を誘導しつつ遊技領域を流下（通過）させることができるため、入賞口開閉装置の機能を向上させることができる。これにより、遊技を円滑に行うことができ、遊技の趣向性が向上する。
ここで、「所定の遊技球の流路」は、所定の射出力で発射（射出）された遊技球の大半が通過する遊技領域上のルートである。例えば、射出力を大として射出された所謂右打ちされた遊技球のうち、その殆どの遊技球が通過する遊技領域の右領域（または右下領域）から中心方向（左側）へ向かうルートのことである。
【０００８】
（２）上記（１）において、前記入賞球受入部は前記遊技盤の前面から突出し、その上部に前記入賞口を設け、前記蓋体は、単体で構成されるとともに前記入賞口を単体で遊技球が流入不可能な閉鎖状態にし得る形状であって、前記盤面に直交する回転軸により、前記蓋体の前記通路面が前記流路に沿って傾斜するとともに、前記入賞口を閉鎖する前記閉鎖位置と、前記遮断誘導面が前記流路を通過する遊技球の流下方向に対向するように前記流路に略直交しつつ前記蓋体の閉方向を向いて傾斜するとともに、前記入賞口を開放する前記開放位置とに、前記盤面に沿って回動可能に支持される。
【０００９】
上述の構成によれば、蓋体を単体で構成することによって、複数の蓋体を備えるものと比較すると、構成部材の点数を削減することができ、コストの低減を図るとともに、装置の小型化を図ることができる。装置の小型化により、遊技盤上における他部材の配置等に影響を与え難くして、例えば、遊技領域が占める遊技球の流入可能な領域の割合を拡大することができる等、遊技盤に係る設計の自由度の向上を図ることができる。
また、蓋体が閉鎖位置のとき、確実に遊技球の入賞口への流入を防止するとともに、当該遊技球を流路に沿って誘導することができる。また、蓋体が開放位置のとき、入賞口への遊技球の流入を可能とするとともに、流路を通過する予定であった遊技球を遮断誘導面に衝突させて下方の入賞球受入部（入賞口）へ確実に誘導することができる。これにより、遊技の効率化及び円滑化を図ることができる。
【００１０】
（３）上記（２）において、前記開放位置における前記蓋体の前記遮断誘導面を先端部に向かうに従って漸次下方を向くように形成する。
【００１１】
上述の構成によれば、蓋体の開放位置において、入賞球受入部から離間した蓋体の遮断誘導面（例えば、先端付近）に衝突した遊技球を、下方の入賞球受入部（入賞口）へより確実に誘導することができる。換言すると、流路を流下する遊技球をより確実に入賞させることができる。
【００１２】
（４）上記（１）〜（３）のいずれかにおいて、前記入賞口の大きさを、遊技球の経寸法の１個分よりも大寸、かつ２個分よりも小寸とする。
【００１３】
上述の構成によれば、入賞口開閉装置を小型化した場合であっても、入賞口から流入する遊技球の球詰まりを防止することができる。
また、遊技領域の特定領域に遊技球の経寸法の整数倍からなる流下空間が形成されると、複数の遊技球が通過する際に所謂球噛現象（球詰まり）の発生を招き易い。そのような現象を抑制するため、その種（入賞口）の空間寸法ｗは≠１１ｍｍ×Ｎが望ましい。
流路を流下する遊技球を確実に入賞させることにより、遊技の効率化及び円滑化を図ることができる。
【発明の効果】
【００１４】
本発明によれば、入賞口開閉装置の小型化により、遊技盤上における他部材の配置等に影響を与え難くして、遊技盤に係る設計の自由度の向上を図ることができ、さらに、入賞口開閉装置の機能を向上させることにより、所定の流路を流下する遊技球を確実に入賞させて、遊技の効率化及び円滑化を図ることができる。
【図面の簡単な説明】
【００１５】
【図１】本発明に係る遊技機のガラス扉が開放状態となった正面図である。
【図２】同じく遊技機の背面図である。
【図３】同じく遊技機における遊技盤ユニットの分解前方斜視図である。
【図４】同じく遊技機における遊技盤ユニットの正面図である。
【図５】同じく遊技機における遊技盤ユニットの前方斜視図である。
【図６】同じく遊技機における入賞口開閉装置及びその周辺の正面拡大図である。
【図７】同じく遊技機における入賞口開閉装置の蓋体及びその周辺の正面拡大図である。
【図８】同じく遊技機における入賞口開閉装置及びその周辺の裏面拡大図である。
【図９】同じく遊技機の入賞口開閉装置における閉作動時の遊技球の流下態様を説明するための遊技盤の正面拡大図である。
【図１０】同じく遊技機の入賞口開閉装置における開作動時の遊技球の流下態様を説明するための遊技盤の正面拡大図である。
【発明を実施するための形態】
【００１６】
以下、図１〜図１０を参照し、発明の実施形態を通じて本発明を詳説するが、以下の実施形態は特許請求の範囲に係る発明を限定するものではなく、実施形態の中で説明される特徴の組み合わせの全てが発明の解決手段に必須であるとは限らない。
なお、以下の説明において遊技機（弾球遊技機またはパチンコ機）の各部の左右方向は、その遊技機に対面する者にとっての左右方向に合わせて説明する。即ち、遊技機の正面から説明する場合は、遊技機の正面に対面する者（例えば、遊技者）の視点を基準とし、遊技機の背面から説明する場合は、遊技機の背面に対面する者の視点を基準とする。
【００１７】
（遊技機）
図１に示すように、本実施形態の遊技機１は、遊技場の島設備に設置される縦長方形状の機枠２と、この機枠２に開き戸状に開閉自在に取り付けられた本体枠３と、当該本体枠３の内側に装着され盤面が透明な遊技盤１００を有する遊技盤ユニット５０と、本体枠３の前面に開き戸状に開閉自在に取り付けられ、遊技盤１００に設けられた後述する遊技領域１０１を視認させるよう中央に大きくガラス窓４ａが設けられたガラス扉４と、本体枠３の下側に開閉自在に設けられ、遊技球を貯留する受皿６を有する前面ボード５と、本体枠３内の下部に配設され遊技球を発射するための発射装置（図示省略）と、前面ボード５に取り付けられ、遊技者の回転操作に基づいて遊技球を発射装置に発射（射出）させるためのハンドル７と、前面ボード５の略中央に設けられ、遊技の状況に応じた効果音を出力するスピーカ８と、ガラス扉４の左右両側にそれぞれ設けられ、遊技の状況に応じて点灯、消灯及び点滅する照明演出を行う照明装置（図示省略）とを備える。
【００１８】
図２に示すように、遊技機１の背面側には、支持部材等を介して、主制御装置１０と、カバー部材に覆われたサブ制御装置２０と、払出発射制御装置３０とが設けられている。主制御装置１０、サブ制御装置２０、及び払出発射制御装置３０は何れもＣＰＵと、コンピュータプログラム及び遊技上の処理に必要なデータを格納したＲＯＭと、ＣＰＵがＲＯＭに格納されたコンピュータプログラムに従って処理を行うための一時記憶領域であるＲＡＭとを備えるマイクロコンピュータである。
また、図２におけるサブ制御装置２０の右隣には、入賞した賞球を払い出すための賞球払出装置３１が設けられており、払出発射制御装置３０の左隣には、各制御装置に電力を供給するための電源装置４０が設けられている。
【００１９】
（主制御装置）
主制御装置１０は、遊技機１全体を制御するための各種処理を実行し、その処理結果に基づいて、遊技を制御するための各種の制御コマンド（制御に係るコマンド情報を有する制御信号）を演算処理して出力する。主制御装置１０は、例えば、後述する第１特別図柄に係る電子抽選（第１特別図柄抽選）、第２特別図柄に係る電子抽選（第２特別図柄抽選）等をそれぞれ所定の契機で実行し、抽選結果等に基づいて、大当り遊技の当選となるときに、例えば、後述するアタッカ装置１８３が作動して大入賞口１８２が開放状態となることによって、遊技球の大入賞口１８２への入賞が可能（容易）となる遊技者に有利な遊技状態となる。
【００２０】
（サブ制御装置）
サブ制御装置２０は、主制御装置１０からの制御コマンドを受信して、スピーカ８、照明装置、後述する演出表示装置１７５等の演出装置などへ制御コマンドを送信して演出に係る制御を実行する。
【００２１】
払出発射制御装置３０は、主制御装置１０からの制御コマンドを受信して、賞球払出装置３１の作動を制御して、受皿６へ遊技球の払出しを行う。ここで、賞球払出装置３１は、遊技球が入賞口（例えば、一般入賞口１５０、始動入賞口１５５、１６２、大入賞口１８２）に入賞したことを契機に、払出発射制御装置３０の制御によって遊技領域１０１に設けられた入賞口毎に予め対応付けられている賞球の払出個数を賞球として払出すようになっている。
また、払出発射制御装置３０は、ハンドル７の回転操作量に応じて発射装置の作動（遊技球の射出力）を制御し、受皿６に貯留された遊技球を１つずつ遊技領域１０１へ発射（射出）する。
【００２２】
（遊技盤ユニット）
図３に示すように、遊技盤ユニット５０は、遊技盤１００、装飾板２００、第１役物ユニット３００、第２役物ユニット４００、及びセット盤５００から構成される。前側から順に、遊技盤１００、装飾板２００、第１役物ユニット３００、第２役物ユニット４００、セット盤５００がそれぞれ前後に重なり合うように設けられる。また、セット盤５００の裏側から演出表示装置１７５が取付けられる。
【００２３】
遊技盤１００は、その前面に遊技球が流下可能な遊技領域１０１を有し、遊技領域１０１に設けられた釘Ｎ（一部の図においては省略）及び風車Ｐ等により、発射装置により遊技領域１０１に発射された遊技球の流下方向（転動方向）を制御する。また、遊技領域１０１は、流下する遊技球が流入可能な後述する複数の入賞口（例えば、一般入賞口１５０、始動入賞口１５５、１６２、大入賞口１８２）、同じく遊技球が排出されるアウト口１９０等を設ける。
【００２４】
装飾板２００は、遊技盤１００の盤面を透して視認可能な装飾部２１０、及び装飾板２００の裏面側に配置される第１及び第２役物ユニット３００、４００の機構部分等を視認不可能とするための遮蔽部２２０等を設ける。
【００２５】
第１役物ユニット３００は、相対的に大寸の略立体的なハート型であって、上下動可能な第１主役物３１０、及び相対的に小寸の略立体的なハート型であってその前面に７セグメントディスプレイを有する左右一対に設けられた第１副役物３２０、３２０を設ける。
【００２６】
第２役物ユニット４００は、上部の上下動可能な第２上役物４１０と、下部の上下動可能な第２下役物４２０とを有し、第２上役物４１０及び第２下役物４２０が上下に結合することによりハート型の輪郭を形成する。
【００２７】
セット盤５００は、遊技盤１００、装飾板２００、第１役物ユニット３００及び第２役物ユニット４００を前方から収容可能であって、演出表示装置１７５の表示領域を前方から視認可能とするための開口部５１０を有し、本体枠３に取付けられる。
図４及び図５に示すように、遊技盤１００は、装飾板２００、第１役物ユニット３００、及び第２役物ユニット４００を収容したセット盤５００の前面を塞ぐように取付けられる。
【００２８】
（遊技盤）
図１、図４及び図５を参照して、遊技盤１００の構成について説明する。
主に図４に示すように、遊技盤１００は、前側の盤面に遊技球規制レール１０３より内側と外側に区画される遊技領域１０１を設け、受皿６に一時的に貯留された遊技球は、発射装置により１つずつ発射（射出）されて、遊技領域１０１の内側における矢印Ｘ方向へ飛んで発射口１０２を通過し、遊技領域１０１の上部に到達し、遊技領域１０１内を１つずつ流下する。
【００２９】
（遊技領域の内側）
主に図４及び図５に示すように、遊技領域１０１の内側には、遊技領域１０１に打ち込まれた遊技球の流下方向を変化させる多数の釘Ｎ（図９及び図１０参照）及び風車Ｐが設けられる。
【００３０】
また、遊技領域１０１の前方から突出して遊技領域１０１に打ち込まれた遊技球を遊技領域１０１の左右に振り分け可能であって、その内部に遊技球を流入可能とするための遊技球案内路１１１ａを有し、非作動時の第１主役物３１０、第２上役物４１０及び第２下役物４２０を略遮蔽する枠体１１１と、作動時の第１主役物３１０、第２上役物４１０及び第２下役物４２０並びに演出表示装置１７５の表示領域を前方から視認可能とする開口部１１２と、開口部１１２の下部に設けられ、遊技球案内路１１１ａを通過して枠体１１１内に流入した遊技球を一時的に受入れ可能とするとともに、受け入れた遊技球を後述する第１始動入賞口１５５に誘導可能なステージ１１４と、開口部１１２の右内縁部に取付けられるシャンパングラスを模したシャンパングラスオブジェ１２０とを有するセンター役物１１０が設けられる。
【００３１】
また、遊技球の入賞を契機に主制御装置１０による抽選等は実行されず、賞球払出装置３１により所定数の遊技球の払出し処理が実行される複数の一般入賞口１５０、遊技球の入賞を契機に主制御装置１０により大当り遊技に係る抽選が実行される第１始動入賞口１５５及び第２始動入賞口１６２が設けられる。
【００３２】
また、遊技球の通過を契機に所定の抽選が実行され、抽選の結果当選した場合に、後述する入賞口開閉装置１６０が作動して第２始動入賞口１６２を閉鎖状態（入賞不可能な状態）から開放状態（入賞可能な状態）として遊技球の入賞を可能とするスルーチャッカ１７０が設けられる。
【００３３】
また、変動表示した複数列の演出用図柄を停止表示することによって、主制御装置１０による大当り遊技に係る抽選の結果を表示可能な例えば液晶ディスプレイからなる演出表示装置１７５が設けられる。
【００３４】
また、主制御装置１０による大当り遊技に係る抽選の結果、大当りに当選した場合に、後述するアタッカ装置１８３が作動して閉鎖状態から開放状態となって遊技球が入賞可能となることにより、遊技者に有利遊技状態を提供可能な大入賞口１８２を有する大入賞口ユニット１８０が設けられる。
【００３５】
また、遊技領域に打ち込まれた遊技球のうち入賞しなかった遊技球を遊技盤１００の裏面側に送り出すアウト口１９０が設けられる。
【００３６】
（遊技領域の外側）
遊技領域１０１の外側には、遊技盤１００の右下隅部に、遊技球が後述する第１始動入賞口１５５に入賞したことを契機に、主制御装置１０が実行する第１特別図柄抽選（特図抽選）の結果（当り、または外れ）を表示する２桁の７セグメント表示装置からなる第１特別図柄表示装置１１０Ａと、第１特別図柄表示装置１１０Ａの下方に配設され遊技球が後述する第２始動入賞口１６２に入賞したことを契機に、主制御装置１０が実行する第２特別図柄抽選（特図抽選）の結果（当り、または外れ）を表示する２桁の７セグメント表示装置からなる第２特別図柄表示装置１１０Ｂとが設けられる。
【００３７】
また、第１特別図柄表示装置１１０Ａの上方に配設され遊技球がスルーチャッカ１７０を通過したことを契機に、普通図柄（単に、普図ともいう）に係る抽選（普図抽選）の結果（当り、または外れ）を表示する２つのＬＥＤランプからなる普通図柄表示装置１１０Ｃが設けられている。
【００３８】
本実施形態の遊技機においては、第１特別図柄表示装置１１０Ａが表示する特別図柄を第１特別図柄とし、第２特別図柄表示装置１１０Ｂが表示する特別図柄を第２特別図柄としている。また、演出表示装置１７５に表示される演出用図柄と、第１特別図柄及び第２特別図柄とは対応し、また、略連動するようになっている。
【００３９】
また、本実施形態の遊技機においては、主制御装置１０が制御する遊技状態として、特図抽選に係る当選確率が相対的に高い特図高確遊技モードと、同じく当選確率が相対的に低い特図低確遊技モードと、普図抽選に係る当選確率が相対的に高い普図高確遊技モードと、同じく普図抽選に係る当選確率が相対的に低い普図低確遊技モードとを設定している。特に、普図高確遊技モードにおいては、普図抽選確率が１／１に設定されており（普図低確遊技モードにおいて、抽選確率は、例えば１／１５０）、スルーチャッカ１７０を遊技球が通過すると、抽選の結果必ず当選するため、入賞口開閉装置１６０が作動して第２始動入賞口１６２を入賞不可能な状態から入賞可能な状態とする。
【００４０】
即ち、普図高確遊技モードにおいては、遊技球を所謂右打ちして、スルーチャッカ１７０に遊技球を通過させることによって、入賞口開閉装置１６０が作動して大量の遊技球が第２始動入賞口１６２に入賞することが可能となっている。
ここで、右打ちとは、遊技者がハンドル７の回転操作量を大とする操作をして、遊技球を遊技領域１０１の右側に打ち出すことを示す。
【００４１】
（入賞口開閉装置）
図４及び図５に示すように、入賞口開閉装置１６０は、遊技領域１０１の右下に位置し、右打ちされた遊技球を受入れ可能な配置となっている。
図６に示すように、入賞口開閉装置１６０は、第２始動入賞口１６２と、当該第２始動入賞口１６２から流入する複数の遊技球を受入れ可能な入賞球受入部１６５と、入賞球受入部１６５内に設けられ、第２始動入賞口１６２から流入する遊技球を排出するとともに入賞として検知させるための排出口１６６と、駆動装置１６８により、入賞球受入部１６５の第２始動入賞口１６２を閉鎖する閉鎖位置と、第２始動入賞口１６２を開放する開放位置とに変位可能な蓋体１６７とを設ける。即ち、入賞口開閉装置１６０は、開放作動の時（開作動時）に、蓋体１６７を開放位置に変位させ、閉鎖作動の時（閉作動時）に、蓋体１６７を閉鎖位置に変位させる。
【００４２】
（ベース体）
より具体的には、図６に示すように、入賞口開閉装置１６０は、遊技盤１００に取付けられるベース体１６１を設ける。
ベース体１６１は、一般入賞口１５０や遊技球を遊技盤１００の左右の中心方向（図中左方向）へ誘導するための誘導部材Ｍ１、Ｍ２等を設ける。
また、ベース体１６１は、遊技球が流入可能な開口である排出口１６６を設け、排出口１６６内には排出口１６６内に流入した遊技球を入賞したものとして検知可能な検知センサ（図示省略）が設けられる。
さらにベース体１６１は、ベース体１６１の前面から前方へ突出するとともに、排出口１６６に向けて下り傾斜をなすレール部材１６３を設ける。レール部材１６３は、入賞球受入部１６５に流入してきた遊技球を排出口１６６へ誘導可能となっている。
【００４３】
（ケース体）
図６に示すように、入賞口開閉装置１６０は、レール部材１６３及び排出口１６６の前面を覆うようにベース体１６１に取付けられるケース体１６４を設ける。
ケース体１６４は、ライターの胴の部分の形状を模した第１ケース部１６４ａと、第１ケース部１６４ａに連接し、流路Ｌを通過せずに第２始動入賞口１６２に流入しなかった遊技球を下方へ誘導する誘導面１６４ｃを有する略三角形状の第２ケース部１６４ｂから構成される。
第１ケース部１６４ａは、その前面にＬＥＤを搭載したハート型の照明部１６４ｄを設ける。
本実施形態の遊技機では、ケース体１６４と（ライターの蓋の形状を模した）蓋体１６７とによりライターを模した形状となっており、第２始動入賞口１６２入賞口開閉装置１６０の誘目性を向上させている。
【００４４】
なお、ケース体１６４を、単体で構成するようにしてもよい。また、ケース体１６４と蓋体１６７とにより、例えば、びっくり箱や宝箱等を模した構成とするようにして、第２始動入賞口１６２の誘目性を向上させるようにしてもよい。
【００４５】
（照明部）
照明部１６４ｄは、例えば、入賞口開閉装置１６０が作動して、蓋体１６７が開放位置となった場合に点灯又は点滅する。これにより、遊技者に入賞口開閉装置１６０が作動していることを報知することができ、遊技者は、遊技球を狙うべき対象を認識することができる。
また、特図抽選の当選確率に基づいて予め設定される大当りの信頼度に応じて、単独で、または他のハート型の役物（例えば、第１主役物３１０、第１副役物３２０、３２０、第２上役物４１０及び第２下役物のうち、いずれか一つ、または複数、または全て）と連動して点灯または点滅する。これにより、遊技者は、照明部１６４ｄ点灯または点滅態様、若しくは他のハート型の役物との連動態様に基づいて、大当りを期待したり予想したりすることができ遊技の趣向性を向上させることができる。
【００４６】
なお、ベース体１６１を設けずに、ベース体１６１に設けられる構成部材（例えば、一般入賞口１５０、排出口１６６、誘導部材Ｍ１、Ｍ２等）を遊技盤１００に直接設けるようにしてもよい。
【００４７】
（入賞球受入部）
入賞球受入部１６５は、ベース体１６１とレール部材１６３とケース体１６４との互いの内面同士によって囲われる空間である。ベース体１６１に設けられた排出口１６６は、入賞球受入部１６５内に配設されることになる。従って、上部の第２始動入賞口１６２から流入した遊技球は、この空間に一旦受入れられ、レール部材１６３によって排出口１６６へ誘導される。
入賞球受入部１６５の上部に設けられる第２始動入賞口１６２の左右方向の寸法ｑ（図６、図７参照）を、遊技球の経寸法の１個分よりも大寸、かつ２個分よりも小寸とする（１１ｍｍ×１＜ｑ＜１１ｍｍ×２）。これにより、入賞口開閉装置を小型化した場合であっても、第２始動入賞口１６２から流入する遊技球の球詰まりを防止することができる。
なお、遊技領域の特定領域に遊技球の経寸法の整数倍からなる流下空間が形成されると、複数の遊技球が通過する際に所謂球噛現象（球詰まり）の発生を招き易い。そのような現象を抑制するため、その種（例えば、各入賞口）の空間寸法ｗは≠１１ｍｍ×Ｎが望ましい。
【００４８】
（蓋体）
次に、図６及び図７を参照して、蓋体１６７について説明するが、説明の便宜上、図６及び図７に示す蓋体１６７は、他の図に示す蓋体１６７のカバー部材を外した状態を示す。
図６に示すように、蓋体１６７は、単体で構成され、ライターの蓋を模した形状をなし、長手方向の寸法が第２始動入賞口１６２の寸法ｑと同寸か、それよりも若干大寸となっている。また、蓋体１６７はその端部をベース体１６１から突出した回転軸１６７ｃにより回動可能に支持され、駆動装置１６８によって、第２始動入賞口１６２を閉鎖する閉鎖位置と第２始動入賞口１６２を開放する開放位置とに変位する。
また、蓋体１６７が閉鎖位置において蓋体１６７とケース体の１６４との間に形成された隙間ｄは、閉鎖時に遊技球が進入しないように、遊技球の経寸法１個分よりも小寸としている（ｄ＜１１ｍｍ）。
なお、蓋体１６７の長手方向の寸法を、蓋体１６７が閉鎖状態のときに、第２始動入賞口１６２に遊技球が流入できない程度に寸法ｑをよりも小寸とするようにしてもよい。
【００４９】
図６に示すように、蓋体１６７は、閉鎖位置の際、蓋体１６７の上面に平坦な通路面１６７ａが形成され、同じく下面に没入方向へ湾曲した遮断誘導面１６７ｂが形成される。
通路面１６７ａは、蓋体１６７が閉鎖位置のときに、遊技球の流路Ｌに沿って遊技盤１００の左右方向の外側から中心（図中右から左）に向かう下り傾斜をなし、通過する遊技球を遊技盤１００の中心方向へ誘導する。
ここで、本実施形態の遊技機における流路Ｌは、右打ちされた遊技球のうち、その殆どの遊技球が通過する遊技領域１０１の右領域（または右下領域）から中心方向へ向かうルートのことである。
【００５０】
遮断誘導面１６７ｂは、蓋体１６７が開放位置のとき、遊技盤１００の左右方向の外方（図中右方）かつ僅かに下方へ向くようになっている。即ち、右打ちされた遊技球の流下方向（右方から左方）に対向する方向（右方）を向くようになっており、流路Ｌを遮って、遊技球の流路Ｌの通過を防ぐとともに、遮断誘導面１６７ｂに衝突する遊技球を入賞球受入部１６５に誘導するようになっている。
【００５１】
さらに、図７に示すように、蓋体１６７の遮断誘導面１６７ｂは、半径の異なる連続した円弧面Ｒ１〜Ｒ３により全体として湾曲面を形成している。
具体的には、蓋体１６７の遮断誘導面１６７ｂは、先端側から、円弧面Ｒ１、円弧面Ｒ２、円弧面Ｒ３の順で形成されている。円弧面Ｒ１は、相対的に最も小さな半径を有する円弧面となっており、蓋体１６７の中間に形成された円弧面Ｒ２は、相対的に中位の半径を有する円弧面となっており、蓋体１６７の基端側に形成された円弧面Ｒ３は、相対的に最も大きな半径を有する円弧面となっている。
【００５２】
これにより、蓋体１６７が開放位置の際の遮断誘導面１６７ｂは先端に向かうに従って、漸次下方（第２始動入賞口１６２方向）を向くようになっており、例えば、開放状態の蓋体１６７の遮断誘導面１６７ｂの上部に遊技球が衝突したとき、蓋体１６７に対する遊技球の入射角が殆どない場合（例えば、水平方向に衝突した場合）であっても、円弧面Ｒ１が下方を向いているため、円弧面Ｒ１に対して所定の入射角で遊技球を衝突させて、跳ね返った遊技球の反射方向を下向き（反射角を大）とすることができるため、遊技球を下方に配設された入賞球受入部１６５（第２始動入賞口１６２）へ確実に誘導することができる。
【００５３】
（駆動装置）
図８に示すように、ベース体１６１の裏面には、突出位置及び没入位置に変位可能な可動部１６８ａを有し蓋体１６７を閉鎖位置及び開放位置に変位させるための駆動装置（ソレノイド）１６８と、ソレノイド１６８に連接されたリンク機構１６９とが設けられる。リンク機構１６９は第１リンク部材１６９ａ、第２リンク部材１６９ｂ、第３リンク部材１６９ｃから構成される。
【００５４】
第１リンク部材１６９ａは、鈍角に折曲し、折曲部分を回転軸ｋ１によって回動可能に支持され、その一端に設けられたリンク部ｒ１がソレノイド１６８の可動部１６８ａに連接される。
第２リンク部材１６９ｂは、鋭角に折曲し、折曲部分を回転軸ｋ２によって回動可能に支持され、両端部にリンク部材１６９ｂの長手方向に延びる長孔１６９ｄ、１６９ｅが設けられる。第２リンク部材１６９ｂの一端側の長孔１６９ｄには、第１リンク部材１６９ａの他端に設けられたリンク部ｒ２が摺動可能に連接される。
第３リンク部材１６９ｃは、短寸であって、一端に設けられたリンク部ｒ３が第２リンク部材１６９ｂの他端側の長孔１６９ｅに摺動可能に連接され、他端が、蓋体１６７の回転軸１６７ｃと、回転軸１６７ｃを第３リンク部材１６９ｃの回動に従動させて回転するように連結される。
【００５５】
ソレノイド１６８の可動部１６８ａが下方へ突出して突出位置に変位すると、図８に示すように、第１リンク部材１６９ａが時計回りに回動し、第２リンク部材１６９ｂは、第１リンク部材１６９ａに従動して時計回りに回動する。そして、第３リンク部材１６９ｃは、第２リンク部材１６９ｂに連動して反時計回りに回動する。回転軸１６７ｃは反時計回りに回転することによって、蓋体１６７を閉方向に回動させる。
【００５６】
一方、ソレノイド１６８の可動部１６８ａが上方へ没入して没入位置に変位すると、図８（の仮想線）に示すように、第１リンク部材１６９ａが反時計回りに回動し、第２リンク部材１６９ｂは、第１リンク部材１６９ａに従動して反時計回りに回動する。そして、第３リンク部材１６９ｃは、第２リンク部材１６９ｂに連動して時計回りに回動する。回転軸１６７ｃは時計回りに回転することによって、蓋体１６７を開方向に回動させる。
このように、ソレノイド１６８はリンク機構１６９を介して、駆動力を蓋体１６７へ伝達して、蓋体１６７を開閉駆動する。
【００５７】
（大入賞口ユニット）
主に図４及び図５に示すように、大入賞口ユニット１８０は、第１始動入賞口１５５の下方かつ入賞口開閉装置１６０の左方に設けられる。また、大入賞口ユニット１８０は、ベース体１８１と、ベース体１８１に形成された横長矩形の開口である大入賞口１８２と、大入賞口１８２を遊技球が流入不可能な閉鎖状態と、遊技球が流入可能な開放状態とに変化可能なアタッカ装置１８３とを有する。
【００５８】
大入賞口１８２は、流入した遊技球の入賞を検知可能な検知センサ（図示省略）を有する。
アタッカ装置１８３は、大入賞口１８２における開口の下辺部に水平な軸を中心として前後方向にフラップ状に回動白在に設けられ、大入賞口１８２の形状とほぼ同じ矩形状をなす蓋体１８４と、蓋体１８４を、大入賞口１８２を閉鎖状態とする閉鎖位置と、大入賞口１８２を開放状態とする開放位置とに駆動可能なアタッカ駆動装置（図示省略）とを有する。
アタッカ駆動装置（図示省略）は、ベース体１８１の裏面に設けられ、蓋体１８４を駆動させることにより、大入賞口１８２を閉鎖状態から前方向に回動して開放状態とする（役物作動装置または役物連続作動装置を作動状態とする）ものである。
【００５９】
アタッカ装置１８３は、第１始動入賞口１５５への遊技球の入賞を契機に行われる第１特別図柄に係る第１特別図柄抽選の結果が当りとなった場合、または第２始動入賞口１６２への遊技球の入賞を契機に行われる第２特別図柄に係る第２特別図柄抽選の結果が当りとなった場合に、主制御装置１０によって決定された大当りの種類（ラウンド数）に基づいて、大入賞口１８２を開放状態とするラウンド処理が実行され、通常遊技よりも多くの遊技球が大入賞口１８２に入賞可能となる。これによって遊技者にとって通常遊技より有利な当り遊技（大当り遊技または有利遊技ともいう）が提供される。なお、本発明において、大入賞口ユニット１８０が配置される場所は、ゲーム性に基づいて適宜、最適な場所に設けることが可能である。
【００６０】
（入賞口開閉装置における閉作動時及び開作動時の遊技球の流下態様）
次に、図９及び図１０を参照し、入賞口開閉装置１６０の閉作動時及び開作動時の遊技機の流下態様を説明する。なお、図９及び図１０に記載されている釘は、その一部に符号Ｎを付し、その他は符号を省略しているが、符号を省略した釘も釘Ｎの形状等と同一のものである。
【００６１】
図９に示すように、入賞口開閉装置１６０が閉作動時において、右打ちされた遊技球は、スルーチャッカ１７０または、スルーチャッカ１７０の横を通過して、誘導部材Ｍ１上に落下し、誘導部材Ｍ１上を遊技盤１００の中央に向けて転動する。誘導部材Ｍ１から落下した遊技球は、釘Ｎにより、閉作動時の入賞口開閉装置１６０における蓋体１６７の通路面１６７ａ上に誘導され、入賞口開閉装置１６０に連接するように設けられた誘導部材Ｍ２の上面を転動して、釘Ｎにより、大入賞口１８２の上方から流下させるように誘導する。ここで、大入賞口１８２が開放状態となっていれば、遊技球は大入賞口１８２に入賞し、大入賞口１８２が閉鎖状態となっていれば、遊技球は大入賞口１８２に入賞せずに、アウト口１９０から排出される。
【００６２】
図１０に示すように、入賞口開閉装置１６０が開作動時において、右打ちされた遊技球は、スルーチャッカ１７０または、スルーチャッカ１７０の横を通過して、誘導部材Ｍ１上に落下し、誘導部材Ｍ１上を遊技盤１００の中央に向けて（左方へ）転動する。誘導部材Ｍ１から落下した遊技球は、釘Ｎにより開作動時の入賞口開閉装置１６０、即ち、第２始動入賞口１６２が蓋体１６７により開放された入賞球受入部１６５へ誘導される。その際、蓋体１６７は、遮断誘導面１６７ｂが遊技球の流下する方向に対向する方向を向くように流路Ｌを遮る開放位置にあって、流下してきた遊技球は、遮断誘導面１６７ｂに衝突して、第２始動入賞口１６２を通って入賞球受入部１６５へ流入する。
ここで、右打ちされた遊技球は、その殆どが流路Ｌを通過するため、入賞口開閉装置１６０の開作動時において右打ちされた殆どの遊技球は、入賞球受入部１６５に流入して第２始動入賞口１６２に入賞することとなる。
なお、入賞口開閉装置１６０が開作動時または閉作動時であっても、遊技球は、流路Ｌを通過せず、第２ケース部１６４ｂの誘導面１６４ｃに沿って右下方へ流下し、遊技球規制レール１０３に沿って流下してアウト口１９０から排出されこともある。
【００６３】
以上のような構成にしたことにより、入賞口開閉装置１６０は、単に、第２始動入賞口１６２を開閉して、遊技球の流入の可否を制御するだけでなく、遊技球を誘導しつつ遊技領域１０１を流下（通過）させることができるため、入賞口開閉装置１６０の機能を向上させることができる。これにより、遊技を円滑に行うことができ、遊技の趣向性が向上する。
【００６４】
また、蓋体１６７が単一であるため、複数の蓋体を備えるものと比較すると、構成部材を削減することができ、コストの低減を図るとともに、入賞口開閉装置１６０の小型化を図ることができる。また、入賞口開閉装置１６０の小型化により、遊技盤上における他部材の配置等に影響を与え難くして、例えば、遊技領域の拡大することができる等、遊技盤に係る設計の自由度の向上を図ることができる。
【００６５】
さらに、蓋体１６７の遮断誘導面１６７ｂに衝突した遊技球を、下方の入賞球受入部１６５へ確実に誘導することができる。換言すると、流路を流下する遊技球を確実に入賞させることができる。これにより、遊技の効率化及び円滑化を図ることができる。
【００６６】
以上、本発明の一実施形態について説明したが、本発明の要旨を逸脱しない範囲内で、本実施形態の遊技機に対して、次のような変形や変更を施すことが可能である。なお、上述の本発明の一実施形態、及び下記変形例におけるそれぞれの構成要件及び遊技上の条件等を組み合わせることが可能である。
また、変形例で説明する構成要件以外は、上記の実施例の構成要件と同様のものを採用する。
【００６７】
（変形例１）
蓋体１６７の遮断誘導面１６７ｂに衝撃吸収部材（図示省略）を設けるようにしてもよい。これにより、遮断誘導面１６７ｂに衝突した遊技球を下方の入賞球受入部１６５に確実に落下させる（誘導する）ことができる。
【００６８】
（変形例２）
入賞口開閉装置１６０をゲーム性に基づいて適宜、最適な場所に設ける。
例えば、入賞口開閉装置１６０を遊技領域１０１の左下に配置し、遊技者がハンドル７の回転操作量を適宜小とする操作をして、遊技領域１０１の左側に打ち出された遊技球を受入れ可能な配置とする。
その場合、蓋体１６７の通路面１６７ａは、蓋体１６７が閉鎖位置のとき、遊技盤１００の左から右へ向かう下り傾斜をなすものとし、通過する遊技球を遊技盤１００の中心方向へ誘導する。また、蓋体１６７の遮断誘導面１６７ｂは、蓋体１６７が開放位置のとき、遊技盤１００の左方かつ僅かに下方へ向くようになっている。即ち、遮断誘導面１６７ｂは、遊技領域１０１の左側に打ち出された遊技球の流下方向（左方から右方）に対向する方向（左方）を向くようになっており、流路を遮って、遊技球の流路の通過を防ぐとともに、遮断誘導面１６７ｂに当接する遊技球を入賞球受入部１６５に誘導する。
【符号の説明】
【００６９】
ｋ１、ｋ２  回転軸，Ｌ  流路，Ｍ１、Ｍ２  誘導部材，Ｎ  釘，Ｒ１、Ｒ２、Ｒ３  円弧面，ｒ１、ｒ２、ｒ３  リンク部，１  遊技機，１０  主制御装置，５０  遊技盤ユニット，１００  遊技盤，１０１  遊技領域，１１０Ａ  第１特別図柄表示装置，１１０Ｂ  第２特別図柄表示装置，１１０Ｃ  普通図柄表示装置，１５５  第１始動入賞口，１６０  入賞口開閉装置，１６１  ベース体，１６２  第２始動入賞口，１６３レール部材，１６４  ケース体，１６４ａ  照明部，１６５  入賞球受入部，１６６  排出口，１６７  蓋体，１６７ａ  通路面，１６７ｂ  遮断誘導面，１６７ｃ  回転軸，１６８  駆動装置，１７０  スルーチャッカ，１７５  演出表示装置，１８０  大入賞口ユニット，１８２  大入賞口，２００  装飾板，３００  第１役物ユニット，４００  第２役物ユニット，５００  セット盤
【図１】
2014198162.tif 000003
【図２】
2014198162.tif 000004
【図３】
2014198162.tif 000005
【図４】
2014198162.tif 000006
【図５】
2014198162.tif 000007
【図６】
2014198162.tif 000008
【図７】
2014198162.tif 000009
【図８】
2014198162.tif 000010
【図９】
2014198162.tif 000011
【図１０】
2014198162.tif 000012